(57)【要約】      （修正有）【課題】ループ体と、このループ体に沿って設けられた牽引紐とからなり、この牽引紐の両端部を牽引することによって瞬時に結束することのできるリボン結びを可能にした。【解決手段】所定口径を有する柔軟材料からなる所定幅のループ体２ａと、該ループ体２ａに沿って挿通された牽引紐３とからなり、前記ループ体２ａの一端より前記牽引紐３の一対の引出し牽引端部４を端出させた。【選択図】図１
2005126136.tif 000002
【特許請求の範囲】
【請求項１】
所定口径を有する柔軟材料からなる所定幅のループ体と、該ループ体に沿って挿通された牽引紐とからなり、前記ループ体の一端より前記牽引紐の一対の引出し牽引端部を端出させたことを特徴とする締結紐。
【請求項２】
ループ体は、内部に紐挿通孔を備えたループ状筒体であって、該ループ体には引出し牽引端部を端出させるため対向側に紐孔をそれぞれ設け、対向側に紐孔より挿通紐の両端を端出させた請求項１記載の締結紐。
【請求項３】
ループ体は、内部に紐挿通孔を備えたループ状筒体であって、該ループ体には引出し牽引端部を端出させるための単数孔を設け、該単数孔より挿通紐の牽引端部の両端を端出させた請求項１記載の締結紐。
【請求項４】
ループ体は、このループ体の表面外周囲に複数の紐通片を形成し、この複数の紐通片に牽引可能な引出し牽引端部を端出させた請求項１記載の締結紐。
【請求項５】
ループ体は広幅であって、且つ内部に挿通される牽引紐も広幅のリボン状である請求項１、請求項２、請求項３、又は請求項４記載の締結紐。
【請求項６】
ループ体は、その表面側に所定領域に係合片を設けた請求項１、請求項２、請求項３、請求項４又は請求項５記載の締結紐。
【発明の詳細な説明】
【技術分野】
【０００１】ループ体と、このループ体に沿って設けられた牽引紐とからなり、この牽引紐の両端部を牽引することによって瞬時に結束することのできるリボン結びを可能にした美麗な結束紐に関する。
【背景技術】
【０００２】布製の袋体の開口部に形成された筒状部に挿入された牽引紐を牽引することによって袋体の開口部が締結される、いわゆる巾着袋は従来から存在する。また、前記の布製の袋体をプラスチック袋に代えて、このプラスチック袋の開口部に形成した筒状部に牽引紐を設けたものも存在する。【０００３】従来、布製又はプラスチック製の開口部に形成された筒状部に挿入された牽引紐を牽引することによって袋体の開口部が締結されるようなものでは、このような袋体では、締結位置が決まっているいるために、内部に収納する商品のサイズに応じた結束ができない。そのため、収容される商品が内部で不安定になる傾向がある。【０００４】更に、適宜に結束位置を変更し得る結束装置としては、各種のものが提供されているが、例えば、ひも状の結束具としては、結束バンドを利用するものがある。（例えば、実公平７−４６８５５号）又は、相互に係合する一対の係合板を利用するものがある。（例えば、特開２００２−１７９１３０号及び特開平１１−２０６４３８号）がある。【０００５】
【特許文献１】実公平７−４６８５５号
【特許文献２】特開２００２−１７９１３０号
【特許文献３】特開平１１−２０６４３８号
【発明の開示】
【発明が解決しようとする課題】
【０００６】しかしながら前記のいずれの結束具も、結束のみをその目的としており、リボン結びのような美麗な結束を目的とするものではない。本願発明は前記の結束具とは異なり、瞬時に結束し得ると共に、且つ結束後の該部をリボン結びのような美麗に結束することのできる結束紐を提供するものである。
【発明が解決するための手段】
【０００７】所定口径を有する柔軟材料によるなる所定幅のループ体と、該ループ体に沿って挿通された牽引紐とからなり、前記ループ体の一端より前記牽引紐の一対の引出し牽引端部を端出させてある。
【０００８】ループ体は、内部に紐挿通孔を備えたループ状筒状態であって、該ループ体には引出し牽引端部を端出させるため対向側に紐孔をそれぞれ設け、対向側に紐孔より挿通紐の両端を端出させてある。
【０００９】ループ体は、内部に紐挿通孔を備えたループ状筒状態であって、該ループ体には引出し牽引端部を端出させるための単数孔を設け、該単数孔より牽引紐の牽引端部の両端を端出させてある。
【００１０】ループ体は、このループ体の表面の外周周囲に複数の紐通片を形成し、該複数の紐通片に牽引可能な引出し牽引端部を端出させてある。
【００１１】ループ体は広幅のリボン状とすれば本願発明を一層効果的に実施することが出来る。
【００１２】ループ体には、その表面側に所定領域に係合片を設けることにより結束後に結束状態を維持することができる。
【発明の効果】
【００１３】所定口径を有する柔軟材料によりなる所定幅のループ体と、該ループ体に沿って挿通された牽引紐とからなり、前記ループ体の一端より前記牽引紐の一対の引出し牽引端部を端出させてあるので、被結束商品を本願発明の結束具によって結束する場合には、被結束商品の形態、形状、サイズも問わず、ループ体の一端より端出させてある前記牽引紐の一対の引出し牽引端部を外方に牽引するだけで、一瞬にループ体が収束して結束することができ、しかも、結束紐をリボン結びするなどして美麗に結束状態を維持することができる。ループ体が比較的広幅であって、且つ結束紐が広幅のリボンのような場合には、誕生日、結婚記念日、バレンタインデー、ホワイトデー、クリスマスデー等の各種の記念用としてギフト商品、記念品を包装する際に、熟練の技術の必要もなくワンタッチにてリボン結びを強固に美麗に行なうことができるものである。
しかも、被結束商品が袋容器のような柔軟性のものであれば、袋容器の口径より小口径のものであっても安価に結束に利用できる。
【発明を実施するための最良の形態】
【００１４】結束具は、被結束商品ａの結束部位を外周を被冠可能な所定口径を有する和紙、不織布、プラスチックフィルム、プラスチックフィルム、又は布地等の軟材料によりなる所定幅のループ体と、該ループ体に沿って挿通された牽引紐とからなり、前記ループ体の一端より前記牽引紐の一対の引出し牽引端部を端出させたてある。
【実施例１】
【００１５】図１〜図５では、内部に紐挿通孔を備えたループ状筒体２ａであって、該ループ状筒体２ａの内部に挿通紐３を挿通し、挿通紐３の引出し牽引両端部４、４を端出させるための紐孔５、５を対向側にそれぞれ形成してあるものである。対向側に形成された紐孔５、５から引出し牽引両端部４、４を円滑に取り出す場合には、挿通紐３は前記ループ状筒体２ａの内部に複数回捲回されて前記の対向側に形成してある紐孔５、５より挿通紐３の引出し牽引両端部４、４をそれぞれ端出させる必要がある。ループ状筒体２ａを被結束商品ａの結束部位に被冠した上で、対向側にある挿通紐３の引出し牽引両端部４、４をそれぞれ反対方向に外側方向に牽引することによって一瞬のうちにループ状筒体２ａが被結束商品ａの結束部位で褶曲させることにより被結束商品ａを結束状態にすることになる。その際、ループ状筒体２ａの外面又は内面の所定領域にわたってマジックテープのような可撓性係合材６を付設してあれば、ループ状筒体２ａが被結束商品１ａの結束部位で褶曲すれば、図１２に示すように、この褶曲部位で可撓性係合材６が係合して仮止めされ、その状態のまま、その後に引出し挿通紐３を前記紐孔５、５の中央位置で結ぶことによって結束状態が完了する。その場合挿通紐３がリボン紐であればリボン結びすることによって美麗に結束することができる。なお、７はループ状筒体２ａの上辺及び下辺のシール部である。
【実施例２】
【００１６】図６〜図７に示す牽引具では、ループ体２ｂは、ループ体２ｂの表面外周囲に複数の紐通片１１を付設されている。該複数の紐通片１１に牽引紐１２を挿通し、更にこの牽引紐１２の牽引可能な引出し牽引端部１３、１３を所定部位より端出させてなるものである。この場合でも、牽引端部１３、１３を外側方向に牽引することによってループ体２ｂは結束するための収束が可能である。
【実施例３】
【００１７】図８〜図９に示す牽引具では、このループ体２ｃの全周部にわたりほぼ等間隔の牽引紐２１の通孔２２を複数箇所にわたり設けてなる通孔付きループ体２ｃであって、前記牽引紐２１を通孔２２を介して交互にループ体２ｃの表面部と裏面部となるように交互に挿通し、所定の位置において、この牽引紐２１の牽引可能な引出し牽引端部２３を所定部位より延出させてなるものである。
【実施例５】
【００１８】図１０〜図１１に示すように、内部に紐挿通孔３１を備えた単孔性のループ状筒体２ｄであって、該ループ筒体２ｄの内部に挿通紐３２を挿通し、挿通紐３２の引出し牽引両端部３３、３３を端出させるための紐孔３４を単数個を形成してあるものである。従って、この挿通紐３１は前記ループ状筒体２ｄの内部に一回、又は複数回捲回されて前記単数個の紐孔３４より挿通紐３２の引出し牽引紐の両端部３３、３３が端出するものである。なお、３５は、単孔性のループ状筒体２ｄの上辺及び下辺に沿って形成してあるシール部である。【００１９】ループ状筒体２ｄを被結束商品ａの結束部位に被冠した上で、挿通紐３２の引出し牽引両端部３３、３３を外方に牽引することによって一瞬のうちにループ状筒体２ａが被結束商品１の結束部位で褶曲することにより結束することになる。その際、ループ状筒体２ａの外面の所定領域にわたってマジックテープのような可撓性係合材３６を一又は複数個を付設してあれば、ループ状筒体２ｄが被結束商品１の結束部位で褶曲すれば、この褶曲部位で可撓性係合材３６が係合することによって仮止めされ、その後に二本の引出し挿通紐３３、３３を単数孔３４位置で結ぶことによって完全な結束状態が完了し、以後その結束状態を維持することができる。
その場合挿通紐３２がリボン紐であればリボン結びすることによって美麗に結束することができ、贈答用品を効率よく一瞬に結束することができるものである。
【産業上の利用可能性】
【００２０】被結束商品として函容器、袋容器、を問わず、各種の容器を美麗な各種の包装をほぼ瞬間的に達成し得るために、特に贈答商品の包装時の使用するのに最適である。
【図面の簡単な説明】
【図１】対向側に牽引引出部を設けた紐挿通孔を備えたループ状筒体の斜視図
【図２】対向側に牽引引出部を設けた紐挿通孔を備えたループ状筒体の斜視図
【図３】図１におけるＡ−Ａ線ループ状筒体の断面図
【図４】牽引引出部を両側から牽引した状態の斜視図
【図５】結束状態を示す斜視図
【図６】結束紐をループ体の外側位置に沿わせた結束具の斜視図
【図７】図６のＢ−Ｂ線断面図
【図８】結束紐をループ体の外側と内側交互に沿わせた結束具の斜視図
【図９】図８のＣ−Ｃ線断面図
【図１０】一箇所に設けた紐挿通孔より両端牽引引出部を端出させてなるループ状筒体の一部切り欠き斜視図
【図１１】図１０の結束具により被結束商品を結束した状態を示す斜視図
【図１２】結束状態において可撓性係合部材が係合した状態を示す一部断面図
【符号の説明】
２ａ．．ループ筒状体
３．．．挿通紐
４．．．牽引端部
５．．．紐孔
６．．．可撓性係合部材
７．．．シール部
２ｂ．．ループ体
２１．．牽引紐
２２．．通孔
２３．．牽引端部
２ｄ．．単孔性のループ状筒
３１．．紐挿通孔
３２．．挿通紐
３３．．挿通紐両端
３４．．単数の紐孔
３５．．シール部
３６．．可撓性係合部材
【図１】
2005126136.tif 000003
【図２】
2005126136.tif 000004
【図３】
2005126136.tif 000005
【図４】
2005126136.tif 000006
【図５】
2005126136.tif 000007
【図６】
2005126136.tif 000008
【図７】
2005126136.tif 000009
【図８】
2005126136.tif 000010
【図９】
2005126136.tif 000011
【図１２】
2005126136.tif 000012
【図１０】
2005126136.tif 000013
【図１１】
2005126136.tif 000014